(57)【特許請求の範囲】
【請求項１】
織り目の繰り返し単位が互いに異なる第１の経糸列と第２の経糸列とを交互に並列させて構成した一重織組織の管状織物からなり、前記第１の経糸列の繰り返し単位は、経糸が緯糸の表側で交差する織り目を２または３個連続し、緯糸の裏側で交差する織り目の数を前記表側で交差する織り目数よりも少なくする構成からなり、また前記第２の経糸列の繰り返し単位は、経糸が緯糸の裏側で交差する織り目を２または３個連続し、緯糸の表側で交差する織り目の数を前記裏側で交差する織り目数よりも少なくする構成からなる送水ホース。
【発明の詳細な説明】
【０００１】
【発明の属する技術分野】
本発明は、消防ホース等のホース本体が布で構成された送水ホースに関する。
【０００２】
【従来の技術】
図３に示すように、消防ホースは、２０ｍまたは４５ｍの長さを有する布製ホース１０の両端部に連結金具１１を取り付け、この連結金具１１により複数本の消防ホース同士を連結できるようになっている。布製ホース１０は管状織物から構成されており、その管状織物は、図４に示すように、経糸１５と緯糸１６とが１本ずつ交互に浮沈するように織製された平織組織として構成されている。
【０００３】
このような平織組織の消防ホースに高圧水を通水すると、緯糸に対して１本ずつ交互に浮沈してジグザグ状に屈曲した経糸が水圧によって長手方向に延ばされるため、消防ホースは全長を伸長する。したがって、長尺に連結された消防ホースは、中間部を蛇行するように屈曲させてホースの伸長を吸収するようにする。しかし、このようなホースの蛇行現象は、消防ホースを路上で引きずり回すときの抵抗になって消火活動を著しく妨げ、また流動抵抗を増加するため放水力を低下させることになる。
【０００４】
また、布製の消防ホースは、路面を引きずり回されることによって表面が摩耗し、ホース寿命に影響にするという問題があった。特に、通水時に消防ホース表面にかかる力は、緯糸には経糸に対する力の約２倍がかかるため、緯糸が受ける摩耗が大きいほどホース寿命を早める結果になっていた。
【０００５】
【発明が解決しようとする課題】
本発明の目的は、通水時における布製ホースの伸びに基づく蛇行現象を低減させると共に、耐摩耗性の増大と流動抵抗の低減とを同時に達成可能にする送水ホースを提供することにある。
【０００６】
【課題を解決するための手段】
上記目的を達成する本発明の送水ホースは、織り目の繰り返し単位が互いに異なる第１の経糸列と第２の経糸列とを交互に並列させて構成した一重織組織の管状織物からなり、前記第１の経糸列の繰り返し単位は、経糸が緯糸の表側で交差する織り目を２または３個連続し、緯糸の裏側で交差する織り目の数を前記表側で交差する織り目数よりも少なくする構成からなり、また前記第２の経糸列の繰り返し単位は、経糸が緯糸の裏側で交差する織り目を２または３個連続し、緯糸の表側で交差する織り目の数を前記裏側で交差する織り目数よりも少なくする構成からなることを特徴とするものである。
なお、本発明において「繰り返し単位」とは、経糸列を構成する織り目の繰り返し単位のうち、最少の単位をいうものとする。
【０００７】
【発明の実施の形態】
本発明の送水ホースは、好ましくは消防ホースとして使用されるものであるが、その他に灌漑用、土木作業用などの送水ホースとしても適用される。
消防ホースとして使用される場合の基本構成は、例えば図３に示す従来構造と同様であって、布製ホース１０の両端部に連結金具１１を取り付けて構成されている。
【０００８】
消防ホースの布製ホース１０は、図２に示すように、一重織組織の管状織物５とその内面にライニングされた樹脂層３から構成されている。管状織物５は経糸１ａ，１ｂと緯糸２から筒状に織製されたものである。また、経糸１ａ，１ｂは、ホース用として緯糸２が殆ど外観から見えない程度の高密度に織り込まれている。
経糸１ａ，１ｂおよび緯糸２には、合成繊維および天然繊維のいずれも使用可能である。これら繊維は長繊維を撚り加工したフィラメント糸条であってもよく、短繊維を撚り加工した紡績糸であってもよい。
【０００９】
本発明の送水ホースに使用される管状織物５は、その織り構造が図１に示す組織図のような構成になっている。この組織図において、白抜きの枡は経糸が緯糸の裏側（沈側）に交差している織り目を示し、ハッチングを施した枡（黒枡）は経糸が緯糸の表側（浮側）に交差している織り目を表している。
図１の組織図において、管状織物５は織り目繰り返し単位が互いに異なる第１の経糸列Ａと第２の経糸列Ｂとが交互に配列されて構成されている。
【００１０】
第１の経糸列Ａは、経糸１ａが緯糸２の表側に交差する織り目を２個連続するように有し、かつ緯糸２の裏側に交差する織り目を１個有するように構成されている。すなわち、表／裏＝２／１の繰り返し単位から構成されている。これに対して、第２の経糸列Ｂは、経糸１ｂが緯糸２の裏側に交差する織り目を２個連続して有し、かつ緯糸２の表側に交差する織り目を１個有するように構成されている。すなわち、表／裏＝１／２の繰り返し単位から構成されている。
【００１１】
図示の例では、連続する織り目の数が２個である場合であるが、これが３個連続するようにしたものでもよい。すなわち、第１の経糸列Ａを表／裏＝３／１の繰り返し単位にし、第２の経糸列Ｂを表／裏＝１／３の繰り返し単位にする組合せであってもよい。また、他の変形態様として、第１の経糸列Ａを表／裏＝３／２の繰り返し単位にし、第２の経糸列Ｂを表／裏＝２／３の繰り返し単位にする組合せであってもよく、また第１の経糸列Ａを表／裏＝２／１の繰り返し単位にし、第２の経糸列Ｂを表／裏＝１／３の繰り返し単位にする組合せであってもよく、また第１の経糸列Ａを表／裏＝３／１の繰り返し単位にし、第２の経糸列Ｂを表／裏＝１／２の繰り返し単位にする組合せなどであってもよい。
【００１２】
いずれにしても、第１の経糸列の繰り返し単位は、経糸が緯糸の表側で交差する織り目を複数個連続し、緯糸の裏側で交差する織り目の数を前記表側で交差する織り目数よりも少なくする構成からなり、また第２の経糸列の繰り返し単位は、経糸が緯糸の裏側で交差する織り目を複数個連続し、緯糸の表側で交差する織り目の数を前記裏側で交差する織り目数よりも少なくする構成からなっている。
【００１３】
本発明において、表裏いずれか一方に連続するようにする織り目の数としては２または３にする。連続する織り目数が３よりも多くなると、経糸の集束性が低下するようになるため、ホースの耐摩耗性を低下させる恐れが生ずる。
また、第１の経糸列Ａと第２の経糸列Ｂとは、図示の例のように１本ずつ交互に配置することが望ましいが、必要により１〜３本の任意の本数毎に交互に配置するようにしてもよい。また、第１の経糸列Ａと第２の経糸列Ｂとの交互配列のなかに、第３の経糸列を介在させるようにしてもよい。
【００１４】
本発明の送水ホースは、上述のように第１の経糸列Ａでは経糸１ａが緯糸２の表側に交差する織り目を連続して複数個有し、また第２の経糸列Ｂも経糸１ｂが緯糸２の裏側に交差する織り目を連続して複数個有する構成になっているので、それらの経糸１ａ，１ｂのホース単位長さ当たりの屈曲数が従来の平織組織のホースを構成している経糸の屈曲数に比べて少なくなっている。
【００１５】
したがって、本発明のホースと従来の平織組織のホースとでは、同一ホース長について経糸を解いたときの返し長さを比較すると、本発明のホースの経糸の方が従来ホースに比べて短くなるので、水圧を受けたときに伸長する伸びを従来の平織組織のホースに比べて少なくすることができる。また、この伸長量が少なくなることによって送水ホースの蛇行現象を低減することができる。
【００１６】
また、交互に配列した２種類の経糸列Ａ，Ｂのうち、第１の経糸列Ａは経糸１ａが緯糸２の表側で交差する織り目を複数個連続して有しているため、経糸１ａによる緯糸２に対するカバー率が平織組織の場合に比べて増加することになる。したがって、本発明のホースでは、緯糸が路面に接する頻度が従来の平織組織のホースに比べて低減するため、ホースの耐摩耗性を向上することができる。
【００１７】
他方、第２の経糸列Ｂの方は、経糸１ｂが緯糸２の裏側で交差する織り目を複数個連続して有しているため、ホース内面に樹脂層を介して突出する経糸１ｂの突起が、ホースの長手方向（すなわち通水方向）に対して細長に形成される。これに対して、平織組織の場合には、ホース内面に突出する経糸の突起が通水方向に対て短くなっており、通水に対して乱流を起こしやすい。これに対して細長い突起を形成している本発明のホースの場合は、通水に対して乱流を起こしにくくなり、流動抵抗を低下させることができる。
【００１８】
【発明の効果】
上述したように、本発明の送水ホースは、通水時におけるホースの伸びに基づく蛇行現象を低減させることができ、さらに耐摩耗性の増大と流動抵抗の低減とを同時に図ることができる。
【図面の簡単な説明】
【図１】本発明の送水ホースを構成する管状織物の織り組織の一実施例を示す組織図である。
【図２】同送水ホースの経糸方向に沿った縦断面図である。
【図３】消防ホースの一例について、その端部部分を一部破断して示す側面図である。
【図４】従来の消防ホースの管状織物を構成する織り組織を示す組織図である。
【符号の説明】
１ａ，１ｂ  経糸
２  緯糸
５  管状織物
１０  布製ホース
Ａ  第１の経糸列
Ｂ  第２の経糸列
【図１】
0003834346.tif 000002
【図２】
0003834346.tif 000003
【図３】
0003834346.tif 000004
【図４】
0003834346.tif 000005